(57)【特許請求の範囲】
【請求項１】
回路基板上に実装されるプッシュスイッチであって、
第１の側に開口する凹部を区画形成する壁部を有する絶縁性のケースと、
前記壁部に埋設された第１の部分と、固定電極として前記凹部内に配置された第２の部分とを有する導電性部材と、
前記凹部内に配置され、前記固定電極と接触する第１の位置と、離間する第２の位置との間で変位可能とされている可動電極と、
前記可動電極の前記第１の側において外部からの押圧力によって移動し、前記可動電極を前記第２の位置から前記第１の位置へ変位させる操作部材と、
前記導電性部材の前記第１の部分より前記第１の側へ突出し、前記壁部に埋設されているアンカー部材とを備える、プッシュスイッチ。
【請求項２】
前記アンカー部材は、第１の幅寸法を有する第１アンカー部と、前記第１の幅寸法よりも大きい第２の幅寸法を有する第２アンカー部とを有し、前記第１アンカー部は、前記第２アンカー部よりも前記導電性部材の近くに位置する、請求項１に記載のプッシュスイッチ。
【請求項３】
前記アンカー部材は、前記第１の部分と一体構造を成している、請求項１または２に記載のプッシュスイッチ。
【請求項４】
前記アンカー部材は、前記第１の部分の側縁より突出している、請求項３に記載のプッシュスイッチ。
【請求項５】
前記アンカー部材は、前記プッシュスイッチが前記回路基板に実装された状態において、前記導電性部材の前記回路基板と平行に延在する部分に設けられている、請求項１から４のいずれか一項に記載のプッシュスイッチ。
【請求項６】
前記導電性部材は、前記ケースの側面において露出する第３の部分を有する、請求項１から５のいずれか一項に記載のプッシュスイッチ。
【請求項７】
前記導電性部材は、前記ケースの前記回路基板に対向する面において露出する第３の部分を有する、請求項１から６のいずれか一項に記載のプッシュスイッチ。
【発明の詳細な説明】
【技術分野】
【０００１】
本発明は、各種小型電子機器に使用されるスイッチに関し、特に回路基板上に実装され、当該回路基板と平行な向きに変位可能な操作部材を備えるプッシュスイッチに関する。
【背景技術】
【０００２】
この種のスイッチにおいては、回路基板上に実装された樹脂性のケースに凹部が形成されている。導電性部材がインサート成形等により当該ケースと一体とされており、当該導電性部材の一部が固定電極として当該凹部内に配置されている。当該凹部内にはさらに可動電極が配置されており、固定電極と接触する第１の位置と、離間する第２の位置との間で弾性変位可能とされている。
【０００３】
上記のスイッチには操作部材が設けられている。スイッチが回路基板上に実装された状態において当該操作部材をユーザが押圧操作すると、操作部材は回路基板と平行な向きに移動して可動電極を第１の位置へ変位させ、固定電極との導通状態を得る。押圧力が解除されると、可動電極が第２の位置に弾性復帰して固定電極との導通状態が解除される（例えば特許文献１参照）。
【先行技術文献】
【特許文献】
【０００４】
【特許文献１】特許第４５５７０４３号
【発明の概要】
【発明が解決しようとする課題】
【０００５】
上述のスイッチにおいては、回路基板に平行な向きに操作部材を移動させる押圧力が加えられることにより、回路基板と平行な向きの分力および回路基板から離れる向きの分力が生じ、ケースの一部を導電性部材から剥離するように作用する。近年の電子機器の小型化に伴ってスイッチも小型化されるにつれ、ユーザの押圧力がスイッチの構造強度に対して相対的に高くなる。押圧力がスイッチの構造強度を上回ると、ケースの一部が破壊されて導電性部材から剥離してしまうことがある。
【０００６】
本発明は上記課題の少なくとも一部を解決するためになされたものであり、小型化の要請に応えつつも、操作部材の押圧力に対する耐久性の向上を可能とするプッシュスイッチを提供することを目的とする。
【課題を解決するための手段】
【０００７】
上記課題の少なくとも一部を解決するために本発明が採り得る一態様は、回路基板上に実装されるプッシュスイッチであって、
凹部を区画形成する壁部を有する絶縁性のケースと、
前記壁部に埋設された第１の部分と、固定電極として前記凹部内に配置された第２の部分とを有する導電性部材と、
前記凹部内に配置され、前記固定電極と接触する第１の位置と、離間する第２の位置との間で変位可能とされている可動電極と、
前記プッシュスイッチが前記回路基板に実装された状態において、外部からの押圧力によって前記回路基板と平行な向きに移動し、前記可動電極を前記第２の位置から前記第１の位置へ変位させる操作部材と、
前記導電性部材より前記操作部材の移動方向と非平行な向きに突出し、前記壁部に埋設されているアンカー部材とを備える。
【０００８】
上記の構成によれば、特に回路基板と平行な向きの分力によりケースの一部が導電性部材から剥離されるのを食い止めることができる。
【０００９】
前記アンカー部材は、第１の幅寸法を有する第１アンカー部と、前記第１の幅寸法よりも大きい第２の幅寸法を有する第２アンカー部とを有し、前記第１アンカー部は、前記第２アンカー部よりも前記導電性部材の近くに位置する構成としてもよい。この場合、特に回路基板と離れる向きの分力によってケースの一部が導電性部材から剥離されるのをより効果的に食い止めることができる。
【００１０】
前記アンカー部材は、前記第１の部分と前記第２の部分の少なくとも一方と一体構造を成している構成としてもよい。この場合、高い強度の構造を金属板の打ち抜き等の容易な加工で得ることができる。
【００１１】
ここで「一体構造」とは、上記第１の部分と第２の部分の境界部が同一素材からなり、かつ連続している状態（モノリシックな状態）を指す。素材や特性の異なる二つ以上の部材を接着や溶着により一体とした構成とは区別する意味で用いる。
【００１２】
前記アンカー部材が前記第１の部分と前記第２の部分の少なくとも一方の側縁より突出している構成の場合、アンカー部材を折り曲げ加工等により容易に形成しうる。
【００１３】
前記スイッチが前記回路基板に実装された状態において、前記アンカー部材が前記導電性部材の前記回路基板と平行に延在する部分に設けられている構成の場合、上記の食い止め効果をより顕著にすることができる。
【００１４】
前記導電性部材は、前記ケースの側面において露出する第３の部分を有する構成としてもよい。この場合、回路基板の実装面に当該第３の部分を容易に半田付けして固定し、回路配線との接続部として利用することができる。
【００１５】
前記導電性部材は、前記ケースの前記回路基板に対向する面において露出する第３の部分を有する構成としてもよい。当該第３の部分を回路配線との接続部として利用すれば、プッシュスイッチの実装面積を縮小することができる。
【発明の効果】
【００１６】
本発明によれば、小型化の要請に応えつつも、操作部材の押圧力に対する耐久性の向上を可能とするプッシュスイッチを提供することができる。
【図面の簡単な説明】
【００１７】
【図１】本発明の一実施形態に係るプッシュスイッチの外観を示す斜視図である。
【図２】図１のプッシュスイッチの外観を示す５面図であり、（ａ）は上面図、（ｂ）は正面図、（ｃ）は底面図、（ｄ）は背面図、（ｅ）は右側面図である。
【図３】図１のプッシュスイッチの内部構成を示す分解斜視図である。
【図４】（ａ）は図１のプッシュスイッチにおける導電性部材の形状を示す斜視図であり、（ｂ）は図１における線ＩＶ−ＩＶに沿った断面を示す図である。
【図５】図１のプッシュスイッチにおけるアンカー部材の形状の例を示す図である。
【図６】図１のプッシュスイッチの変形例の外観を示す斜視図である。
【発明を実施するための形態】
【００１８】
添付の図面を参照しつつ、本発明の実施形態について以下詳細に説明する。なお以下の説明に用いる各図面では、各部材を認識可能な大きさとするために縮尺を適宜変更している。
【００１９】
図１は、本発明の一実施形態に係るプッシュスイッチ１の外観を示す斜視図である。プッシュスイッチ１は、回路基板５０上に実装されるケース２を備えている。ケース２の上面にはカバー８が設置され、前方には操作部材７が設けられている。操作部材７は、ユーザによる押圧操作に応じて前後方向に変位可能とされている。
【００２０】
ケース２の左右側面には第１外部接続端子４ａおよび第２外部接続端子４ｂが設けられている。第１外部接続端子４ａおよび第２外部接続端子４ｂは、各々回路基板５０の実装面上に形成された配線端子のランド部５０ｃに半田付けによって接続・固定される。以降の説明においては、第１外部接続端子４ａおよび第２外部接続端子４ｂを必要に応じて「外部接続端子」と総称する。
【００２１】
図２は上記プッシュスイッチ１の外観を示す５面図であり、図３はプッシュスイッチ１の内部構成を示す分解斜視図である。図２において（ａ）は上面図、（ｂ）は正面図、（ｃ）は底面図、（ｄ）は背面図、（ｅ）は右側面図である。左側面から見た形状は右側面図に示したものと対称であるため、図示を省略している。
【００２２】
ケース２は樹脂等の絶縁性材料からなり、壁部によって上方に開口する凹部２ａが区画形成されている。凹部２ａの底部における周縁部には複数の第１固定電極３ａが配置されており、底部中央には複数の第２固定電極３ｂが配置されている。
【００２３】
可動電極５は、弾性変形が可能なドーム形状の導電性部材である。可動電極５は凹部２ａ内に収容され、その外縁部５ａが第１固定電極３ａと接触するように、かつ中央部５ｂが第２固定電極３ｂと間隔をあけて対向するように配置される。すなわち可動電極５は通常時において上側に凸とされている。
【００２４】
保護部材６は、ポリアミド樹脂等の絶縁性樹脂シート材であり、凹部２ａを覆うようにケース２の上面２ｂに載置され、接着剤等により固定される。保護部材６は凹部２ａへの異物の侵入を防止するとともに、後述する操作部材７と可動電極５の間に介在して緩衝材として機能する。
【００２５】
操作部材７は樹脂材等からなり、押圧部７ａ、支持部７ｂ、および操作部７ｃを備えている。操作部材７は保護部材６の上方に載置される。
【００２６】
カバー８は、金属板を打ち抜き折り曲げることにより形成されており、ケース２の上面２ｂ上に載置される本体８ａの前後縁より計４本の係止脚部８ｂが下方に延在している。本体８ａ中央の一部は切り欠かれて後方に向かって斜め下方に延在する案内片８ｃが形成されている。
【００２７】
係止脚部８ｂがケース２の前面２ｃおよび後面２ｄの所定箇所に係止されることにより、カバー８がケース２に装着され、操作部材７の支持部７ｂおよび操作部７ｃがカバー８の本体８ａと保護部材６の間において前後方向に移動可能に保持される。操作部材７の押圧部７ａは、ケース２の前面２ｃより前方に突出している。
【００２８】
図２に示すように、ケース２の下側における左右側部は基板対向面２ｇとされている。この基板対向面２ｇに挟まれた領域は下側に突出する基板挿入部２ｈとされている。図１に示すように、基板挿入部２ｈは回路基板５０の端面５０ａに形成された切欠き部５０ｂに挿入され、底面２ｉは回路基板５０の下面側に位置する。
【００２９】
この状態において基板対向面２ｇは僅かな間隙を介して回路基板５０の上面に対向する。第１外部接続端子４ａおよび第２外部接続端子４ｂは、各々回路基板５０の実装面上に形成された配線端子のランド部５０ｃに僅かな間隙を介して対向する。半田が当該間隙に流れ込むことにより、第１外部接続端子４ａおよび第２外部接続端子４ｂは、各々対応するランド部５０ｃに接続・固定される。
【００３０】
図４の（ａ）は、プッシュスイッチ１の導通経路を形成するための第１導電性部材１１および第２導電性部材１２の外観を示す斜視図である。以降の説明においては、第１導電性部材１１および第２導電性部材１２を必要に応じて「導電性部材」と総称する。
【００３１】
導電性部材は金属板を打ち抜き折り曲げることにより形成され、さらにインサート成形等を通じてケース２と一体成形されることにより、その一部がケース２に埋設されている。具体的には、導電性部材は、ケース２の凹部２ａを区画形成する壁部に埋設される第１の部分と、ケース２の凹部２ａ内に配置される第２の部分と、ケース２の外側に露出する第３の部分とを有している。
【００３２】
第１導電性部材１１は左右方向に延在しており、中央部１１ａの左右両側に第１固定電極３ａが設けられている。また第１の導電性部材１１の左右両端部は上方に折り曲げられて第１外部接続端子４ａとされている。図３に示すように、第１固定電極３ａを含む部分１１ｂ（以降、電極形成部１１ｂと称する）はケース２の凹部２ａ内に配置され（第２の部分）、第１外部接続端子４ａはケース２の左右側面２ｅ、２ｆにおいてケース２の外側に露出している（第３の部分）。これら以外の部分１１ｃは、凹部２ａを区画形成する壁部に埋設されている（第１の部分）。すなわち第１固定電極３ａと第１外部接続端子４ａは、埋設部分１１ｃを介して導通している。
【００３３】
第２導電性部材１２はＴ字形状を呈しており、左右方向に延在する部分の中央部１２ａより前方に延在する部分の前端部１２ｂに第２固定電極３ｂが設けられている（以降、電極形成部１２ｂと称する）。左右方向に延在する部分の両端は上方に折り曲げられて第２外部接続端子４ｂとされている。図３に示すように、第２固定電極３ｂを含む部分１２ｂはケース２の凹部２ａ内に配置され（第２の部分）、第２外部接続端子４ｂはケース２の左右側面２ｅ、２ｆにおいてケース２の外側に露出している（第３の部分）。これら以外の部分１２ｃは、凹部２ａを区画形成する壁部の内部に埋設されている（第１の部分）。すなわち第２固定電極３ｂと第２外部接続端子４ｂは、埋設部分１２ｃを介して導通している。
【００３４】
図４の（ｂ）に示すように、ユーザが直接的あるいは間接的に操作部材７の押圧部７ａを後方に向けて押圧すると、支持部７ｂおよび操作部７ｃがケース８の下方で後方に摺動する。操作部７ｃが一定量後方に移動するとケース８の案内片８ｃの下面に当接する。案内片８ｃは斜め下方に傾斜しているため、操作部材７の操作部７ｃは下方へと案内されて保護部材６を介して可動電極５を押圧する。
【００３５】
可動電極５に加わる負荷が所定値を超えると、中央部５ｂがクリック感を伴って反転して下方に凸の状態になるとともに、第２固定電極３ｂに接触する。これに伴い、第１固定電極３ａと第２固定電極３ｂが可動電極５を介して導通状態となる。したがって第１固定電極３ａおよび第２固定電極３ｂは、各々少なくとも一つ設けられていればよい。
【００３６】
押圧力を解除すると、可動電極５の自己復元力（弾性）により中央部５ｂがクリック感を伴って元の状態（上方に凸の状態）に復帰し、第１固定電極３ａと第２固定電極３ｂの導通は解除される。操作部材７の操作部７ｃはケース８の案内片８ｃにより上方に向かって斜め上方に案内されて支持部７ｂが前方へ摺動し、押圧部７ａが元の位置に復帰する。
【００３７】
すなわち可動電極５は、第２固定電極３ｂと接触する第１の位置と、離間する第２の位置との間で変位可能とされており、操作部材７は、プッシュスイッチ１が回路基板５０に実装された状態において加えられる外部からの押圧力によって回路基板５０と平行な向きに移動し、可動電極５を第２の位置から第１の位置へ変位させる。
【００３８】
操作部材７を押圧する操作力は、回路基板５０と平行な向きの分力および回路基板５０から離れる向きの分力を生じ、ケース２の一部を導電性部材から剥離するように作用する。そこで本実施形態のプッシュスイッチ１は、図４の（ｂ）に示すように、導電性部材より操作部材７の移動方向Ａと非平行な向きに突出し、ケース２の凹部２ａを区画形成する壁部に埋設されたアンカー部材１３を備えている。このアンカー部材１３によって、特に回路基板５０と平行な向きの分力によりケース２の一部が導電性部材から剥離されるのを食い止めることができる。
【００３９】
図４の（ａ）と（ｂ）に示すように、第１導電性部材１１は、複数のアンカー部材１３を備えている。各アンカー部材１３は、埋設部１１ｃの側縁１１ｄより上方に突出している。各アンカー部材１３は埋設部１１ｃと一体構造をなしており、第１導電性部材１１と共に金属板を打ち抜き折り曲げて容易に形成されうる。
【００４０】
第２導電性部材１２もまた複数のアンカー部材１３を備えている。各アンカー部材１３は、埋設部１２ｃの側縁１２ｄより上方に突出している。各アンカー部材１３は埋設部１２ｃと一体構造をなしており、第２導電性部材１２と共に金属板を打ち抜き折り曲げて容易に形成されうる。
【００４１】
ここで「一体構造」とは、アンカー部材１３と埋設部１１ｃ、１２ｃの境界部が同一素材からなり、かつ連続している状態（モノリシックな状態）を指す。以降の説明においては、素材や特性の異なる二つ以上の部材を溶着や接着により一体とした構成とは区別する意味で用いる。アンカー部材１３と埋設部１１ｃ、１２ｃを一体構造とすることにより、高い強度の構造を容易な加工で得ることができる。
【００４２】
各アンカー部材１３は上方に向かうほど、換言すると埋設部１１ｃ、１２ｃから離間するほど幅寸法が大きくなっている。これにより特に回路基板５０と離れる向きの分力によってケース２の一部が導電性部材から剥離されるのをより効果的に食い止めることができる。幅寸法が大きくなる方向は、操作部材７の移動方向と直交する向きとされている。
【００４３】
より詳しくは、図５の（ａ）に示すように、各アンカー部材１３は、第１の幅寸法Ｗ１を有する第１アンカー部１３ａと、第１の幅寸法Ｗ１よりも大きい第２の幅寸法Ｗ２を有する第２アンカー部１３ｂとを有し、第１アンカー部１３ａは第２アンカー部１３ｂよりも導電性部材の埋設部１１ｃ、１２ｃの近くに位置することにより、ケース２の一部を導電性部材から離間させる向きの応力に対抗可能としている。
【００４４】
アンカー部材１３は傾斜する側端面を有する上記の形状に限定されるものではない。第１アンカー部１３ａよりも幅が広い第２アンカー部１３ｂが、第１アンカー部１３ａよりも埋設部１１ｃ、１２ｃよりも離れた位置にあれば、図５の（ｂ）に示すアンカー部材１３Ａのように、段状の側端面を有する形状としてもよい。
【００４５】
また第１アンカー部１３ａよりも幅が広い第２アンカー部１３ｂが、第１アンカー部１３ａよりも埋設部１１ｃ、１２ｃよりも離れた位置にあれば、図５の（ｃ）に示すアンカー部材１３Ｂのように、第１アンカー部１３ａよりも幅が広い部位が埋設部１１ｃ、１２ｃに近い側に設けられていてもよい。さらに図５の（ｄ）に示すアンカー部材１３Ｃのように、第２アンカー部１３ｂよりも幅が狭い部位が埋設部１１ｃ、１２ｃより遠い側に設けられていてもよい。
【００４６】
各アンカー部材１３は、プッシュスイッチ１が回路基板５０に実装された状態において、導電性部材の埋設部１１ｃ、１２ｃのうち回路基板５０と平行に延在する部分に設けられている。これにより上述した食い止め効果をより顕著とすることができる。
【００４７】
さらに本実施形態のプッシュスイッチ１は、図４の（ａ）に示すように、導電性部材１２の電極形成部１２ｂより操作部材７の移動方向と非平行な向きに突出し、ケース２の凹部２ａを区画形成する壁部に埋設されたアンカー部材１４を備えている。このアンカー部材１４により、特に回路基板５０と平行な向きの分力によりケース２の一部が導電性部材から剥離されるのを食い止めることができる。
【００４８】
第２導電性部材１２は、複数のアンカー部材１４を備えている。各アンカー部材１４は、電極形成部１２ｂの側縁１２ｅより斜め下方に突出している。各アンカー部材１４は電極形成部１２ｂと一体構造をなしており、第２導電性部材１２と共に金属板を打ち抜き折り曲げて容易に形成されうる。
【００４９】
各アンカー部材１４は下方に向かうほど、換言すると電極形成部１２ｂから離間するほど幅寸法が大きくなっている。これにより特に回路基板５０と離れる向きの分力によってケース２の一部が導電性部材から剥離されるのをより効果的に食い止めることができる。なお幅寸法が大きくなる方向は、操作部材７の移動方向と直交する向きとされている。
【００５０】
各アンカー部材１４は図４の（ａ）に示した形状に限定されるものではなく、アンカー部材１３と同様に図５の（ａ）〜（ｄ）を参照して説明した変形が可能である。
【００５１】
各アンカー部材１４は、プッシュスイッチ１が回路基板５０に実装された状態において、電極形成部１２ｂのうち回路基板５０と平行に延在する部分に設けられている。これにより上述した食い止め効果をより顕著とすることができる。
【００５２】
次に図６を参照しつつ、上記実施形態の変形例に係るプッシュスイッチ１Ａについて説明する。本変形例においては外部接続端子の形状が上記実施形態と異なっている。それ以外の構成は上記実施形態と同様であるため、繰返しとなる説明は割愛する。
【００５３】
第１導電性部材１１を介して第１固定電極３ａと導通している第１外部接続端子２４ａは、ケース２の左右側面２ｅ、２ｆの外側に露出し、下方に屈曲している。第１外部接続端子２４ａは回路基板５０Ａの実装面に形成された配線端子に接続する挿通孔５０ｄに挿入され、半田付けにより固定される。
【００５４】
第２導電性部材１２を介して第２固定電極３ｂと導通している第２外部接続端子２４ｂは、ケース２の左右側面２ｅ、２ｆの外側に露出し、屈曲することなく回路基板５０Ａの実装面と平行に延在している。第２外部接続端子２４ｂは実装面上に形成された配線端子のランド部５０ｃに半田付けによって接続される。
【００５５】
第１外部接続端子２４ａは、第２外部接続端子２４ｂのように回路基板５０Ａの実装面と平行に延在し、ランド部５０ｃに接続される形状としてもよい。また第２外部接続端子２４ｂは、第１外部接続端子２４ａのように下方に屈曲し、回路基板５０Ａの挿通孔５０ｄに挿入される形状としてもよい。
【００５６】
上記の実施形態は本発明の理解を容易にするためのものであって、本発明を限定するものではない。本発明は、その趣旨を逸脱することなく変更・改良され得ると共に、本発明にはその等価物が含まれることは勿論である。
【００５７】
操作部材７の移動により導通状態と非導通状態が切り替えられるものであれば、導電性部材の数、形状、および配置は、設計上の要請に応じて適宜定められるものであり、上記の構成に限定されるものではない。アンカー部材１３、１４の数、形状、突出方向、および配置は、導電性部材におけるこれらの条件に応じて適宜決定される。
【００５８】
例えば上記の実施形態において、アンカー部材１３の主面（最も面積の大きい面）は操作部材７の移動方向に直交する向きに延在しており、アンカー部材１４の主面は操作部材７の移動方向に平行な向きに延在している。しかしながら導電性部材の形状や配置によっては、アンカー部材１３、１４の主面の延在方向を上記いずれか一方に一致させてもよく、また操作部材７の移動方向と斜めに交差する向きとすることもできる。
【００５９】
また例えば上記の実施形態において、アンカー部材１３、１４は導電性部材の回路基板５０と平行に延在する部分に設けられている。しかしながら導電性部材の形状や配置によっては、導電性部材が回路基板５０と非平行に延在する部分に設けてもよい。
【００６０】
上記の実施形態においては、アンカー部材１４は第２導電性部材１２の電極形成部１２ｂのみに設けられている。しかしながら第１導電性部材１１の電極形成部１１ｂにアンカー部材１４を設けてもよい。
【００６１】
アンカー部材１３、１４は導電性部材と一体構造をなしている必要はない。別途形成したアンカー部材を溶着や接着により導電性部材上に固定してもよい。
【００６２】
アンカー部材１３、１４は導電性部材の側縁より突出している必要はない。アンカー部材が埋設されるケース２の壁部の形状や配置に応じて、埋設部１１ｃ、１２ｃの上面または下面、電極形成部１１ｂ、１１ｃの下面に形成してもよい。
【００６３】
図２の（ｃ）に示すように、上記の実施形態においては第１導電性部材１１の一部分１１ｃおよび第２導電性部材１２の一部分１２ｃがケース２の基板対向面２ｇにおいて露出している。この露出部分１１ｃ、１２ｃの少なくとも一方に対向する位置に回路基板５０のランド部５０ｃを設け、半田付けにより接続・固定される構成としてもよい。
【００６４】
導電性部材の一部がケース２の回路基板５０に対向する面において露出し、当該部分を半田付けにより回路配線と接続する構成の場合、ケース２の側方において露出する外部接続端子を省略することができ、実装面積の縮小に寄与する。
【００６５】
上記の実施形態においては、回路基板５０に形成した切欠き部５０ｂに基板挿入部２ｈを挿入してプッシュスイッチ１を回路基板５０上に固定する構成とされている。しかしながら、基板挿入部２ｈは必ずしも設けることを要しない。すなわちケース２の基板対向面２ｇが実質的にケース２の底面とされている構成としてもよい。
【００６６】
この場合においても、外部接続端子の各々は上記に記載の各形状を採用することができ、また外部接続端子を省略してケース２の基板対向面に露出した導電性部材の一部を配線回路との接続に用いる構成とすることができる。
【００６７】
上記の説明における「上下」「左右」「前後」に係る表現は、図面を参照した説明において便宜上用いたに過ぎず、製品の使用時における方向を限定する意図ではない。「上方」および「下方」は、各々「回路基板から離間する方向」および「回路基板に接近する方向」と言い換えることができる。同様に「前後方向」および「左右方向」という表現は、「回路基板に平行な向き」と言い換えることができる。
【符号の説明】
【００６８】
１：プッシュスイッチ、２：ケース、２ａ：凹部、２ｅ：右側面、２ｆ：左側面、２ｇ：基板対向面、３ａ：第１固定電極、３ｂ：第２固定電極、４ａ：第１外部接続端子、４ｂ：第２外部接続端子、５：可動電極、７：操作部材、１１：第１導電性部材、１１ｂ：電極形成部、１１ｃ：埋設部、１１ｄ：側縁、１１ｆ：露出部、１２：第２導電性部材、１２ｂ：電極形成部、１２ｃ：埋設部、１２ｄ：側縁、１２ｅ：側縁、１２ｆ：露出部、１３：アンカー部材、１３ａ：第１アンカー部、１３ｂ：第２アンカー部、１４：アンカー部材、５０：回路基板
【図１】
0005590011.tif 000002
【図２】
0005590011.tif 000003
【図３】
0005590011.tif 000004
【図４】
0005590011.tif 000005
【図５】
0005590011.tif 000006
【図６】
0005590011.tif 000007